(57)【要約】【課題】印刷品質が良好で、アルコールやエッチ液等の各種添加物を付加する必要がなく、ランニングコストを下げることができ、廃液の汚れレベルも低くて環境にも優しいオフセット印刷機の湿し水供給方法及び装置を提供する。【解決手段】湿し水を活性単分子水化し、所定の活性単分子水濃度に制御して調整した後、印刷機の湿し装置に供給するようにし、湿し水供給装置が活性単分子水発生装置と、湿し水の活性単分子水濃度検出手段と、発生させた活性単分子水の湿し水供給装置への供給を制御すると共に、湿し水供給装置及び活性単分子水発生装置の運転を制御する湿し水制御装置とを有するように構成した。【選択図】            図１
2004351745.tif 000002
【特許請求の範囲】
【請求項１】
印刷機の湿し装置に供給される湿し水を活性単分子水化し、所定の活性単分子水濃度に制御して調整した後、印刷機の湿し装置に供給するようにしたことを特徴とするオフセット印刷機の湿し水供給方法。
【請求項２】
印刷機の湿し装置に湿し水を供給する湿し水供給装置が、補給水を活性単分子水化する活性単分子水発生装置と、上記湿し水供給装置より供給される湿し水の活性単分子水濃度検出手段と、上記活性単分子水発生装置で発生させた活性単分子水の上記湿し水供給装置への供給を制御すると共に、上記湿し水供給装置及び活性単分子水発生装置の運転を制御する湿し水制御装置とを有することを特徴とするオフセット印刷機の湿し水供給装置。
【請求項３】
湿し水が、湿し水タンクと湿し装置の水舟と中継タンクよりなる循環系により循環されていることを特徴とする請求項２記載のオフセット印刷機の湿し水供給装置。
【請求項４】
湿し水が湿し装置のノズルより噴霧され、循環系を有しないことを特徴とする請求項２記載のオフセット印刷機の湿し水供給装置。
【発明の詳細な説明】
【０００１】
【発明の属する技術分野】
本発明はオフセット印刷機に使用する湿し水の給水方法及び装置に関する。
【０００２】
【従来の技術】
図５は従来の一般的な枚葉印刷機の概略構成を示す説明図で、図６はその枚葉印刷機の印刷装置の概略構成を示す説明図である。
【０００３】
図において１は給紙装置で、被印刷物のシート１２を積重し、一枚ずつ供給する装置である。２は印刷装置（２ａ，２ｂ，２ｃ，２ｎ）で必要量のインキをインキ装置４で、又水舟１３より供給される必要量の湿し水を湿し装置１０で調整し、版胴５に装着している刷版１１に供給するようになっている。
【０００４】
供給された湿し水は刷版１１の非画線部に吸着し、インキは刷版１１の画線部分に転移し、該インキをゴム胴６に転写後、ゴム胴６と圧胴７間を搬送されているシート１２に転写することにより印刷が行われることになる。
【０００５】
シート１２は圧胴７、中間胴８で図示しない爪により搬送され、次々と必要な色のインキを転写されてカラー印刷が行われるが、印刷装置２ａ，２ｂ，２ｃ，２ｎは一般に墨、藍、紅、黄の色のほか特殊な色のインキを印刷するため、印刷したい色の数だけ印刷装置２が設けられている。
【０００６】
なお、印刷を終了したシート１２は圧胴７から排紙軸９で駆動されているチェーンに設備された爪装置（チェーングリッパ）により排紙装置３まで搬送され、排紙装置３で積重されるが、規定量積重されると外部に搬出されるようになっている。
【０００７】
上述したように、従来は印刷装置２の版胴５に装着している刷版１１の画線部分にインキを転移させて印刷を行っている。一般的に知られているように平版印刷においては、インキが転移する前に湿し装置１０から適量の湿し水を刷版１１に供給する。刷版１１の非画線部分は親水性になっているので水を吸着し、インキを押し付けられても水の反発力によりインキを転移させないようにしており、一方画線部分は非親水性になっており、水が付着していないのでインキが付着するようになっている。
【０００８】
この非画線部分の親水性部分は微視的には小さな凹凸で構成されており、湿し水の表面張力等の度合により、その凹凸の細かいところまで水が付着するかどうかで、非画線部分のインキ汚れや画線部との境界の明確さが変わってくることになる。
【０００９】
また、湿し水の供給される量によっても汚れ等への影響があり、供給する湿し水の量が多いとインキの乳化を促進させてインキの光沢を下げてしまうなどの悪影響があるので、供給する湿し水の量はできる限り少なくし、非画線部への付着力の大きい水を供給することが、印刷品質を良いものに維持するために必要である。
【００１０】
上述した刷版１１の非画線部の凹凸部分の細かいところまで湿し水を浸透させる為には、湿し水の表面張力を下げる必要があり、湿し水の表面張力を下げると湿し水は親水性部分に薄く広がり、非親水性部分との境界部でも親水性部分は確実に水が付着する。
【００１１】
これに対し、湿し水の表面張力が大きい場合は境界部分で水が玉になろうとし、境界部分から逃げ易くなるため境界が不明確になり易い。従って、湿し水は非画線部の細かい凹凸部まで浸透させると印刷品質を良くすることができる。
【００１２】
また、印刷中はインキローラの表面にインキと湿し水が常に混在している状態であるため、乳化インキが発生し、乳化状態によってはインキが親水部分に付着して汚れとなる。この汚れの洗浄力は湿し水の性質により変わり、汚れの進展度合いも変わってくる。
【００１３】
このように、湿し水は非画線部の汚れを修復する性能も要求されることになる。そのため従来は、供給する湿し水の表面張力を下げる等のために、アルコールやエッチ液といわれる添加剤が使用されている。
【００１４】
従来例として、アルコールを使用するもの（例えば、特許文献１、特許文献２参照）、エッチ液を使用し、エッチ液の濃度を制御するもの（例えば、特許文献３、特許文献４参照）、エッチ液とアルコールの両方を使うもの（例えば、特許文献５参照）などがある。
【００１５】
次に、図７は従来のオフセット印刷機の湿し水供給装置の概略構成（例えば、特許文献５参照）を示す説明図である。
【００１６】
図に示すように、エッチ液はエッチ液濃度計１８により濃度を調整しながらエッチ液供給ポンプ１５により湿し水循環用の湿し水タンク１９へ供給され、アルコール（イソプロピルアルコールまたはエチルアルコール等）は、アルコール濃度計１７により現状値を計測して目標濃度になるようにアルコール供給ポンプ１４から湿し水循環用の湿し水タンク１９へ供給されるようになっている。
【００１７】
また、エッチ液は各種親水性物質を含んだもので、アルコールは水分を小さくして湿し水の表面張力を低下させるために添加している。
【００１８】
なお、図中２９は湿し水タンク１９に供給される補給水で、湿し水タンク１９内の湿し水は、供給ポンプ２６により湿し装置の水舟１３に供給され、中継タンク２７より再び湿し水タンク１９に循環されるようになっている。
【００１９】
次に、図８は従来のオフセット印刷機の湿し水供給装置の他の概略構成（例えば、特許文献６参照）を示す説明図である。
【００２０】
図に示すように、供給された補給水２９は、電解槽２０により酸性イオン水２２とアルカリ性イオン水２３を製造して湿し水タンク１９に供給し、それらの混合度合いをＰＨセンサ２１で計測し、ＰＨが目標値になるように制御した後、供給ポンプ２６により印刷機の湿し装置１０の水舟１３に供給しており、水舟１３から版胴５に装着している刷版１１に供給するようになっている。
【００２１】
なお、湿し水タンク１９内の湿し水は、供給ポンプ２６により湿し装置１０の水舟１３に供給され、中継タンク２７より再び湿し水タンク１９に循環されるようになっている。
【００２２】
更に、図８に示すような従来のオフセット印刷機の湿し水供給装置において、その湿し水タンク１９に付設の湿し水出し入れ系路中に、磁気処理装置、濾過器等の異物凝集・除去手段を付加したものもある（例えば、特許文献７参照）。
【００２３】
しかしながら、それらは画像の汚れや印刷物の乾燥の遅れを防ぐために、湿し水のＰＨ値を制御するものであり、湿し水の表面張力を下げるものではない。
【００２４】
上記従来のオフセット印刷機の湿し水供給装置において、湿し水の表面張力を下げるためにアルコールやエッチ液等を添加剤として添加すると、ランニングコストが高くなるばかりか、廃液の汚れレベルが高くなり、環境に優しくないためさらなる改善等が望まれていた。
【００２５】
【特許文献１】
特開昭５５−９０３６３号公報（第３７１頁右下欄、第３７２頁左上欄）
【特許文献２】
特開平１０−１１９２３６号公報（要約、図１）
【特許文献３】
特開平６−３２８６５８号公報（要約、図１）
【特許文献４】
特開２０００−１７７０９６公報（要約、図２）
【特許文献５】
特開平６−１７１０６１号公報（要約、図１）
【特許文献６】
特開平８−３９７５８号公報（要約、図１）
【特許文献７】
特開平９−２３９９４７号公報（要約、図１）
【００２６】
【発明が解決しようとする課題】
本発明は上記実情に鑑みてなされたもので、印刷品質が良好であり、特に湿し水の表面張力を下げるためにアルコールやエッチ液等の各種添加物を付加する必要がなく、ランニングコストを下げることができ、廃液の汚れレベルも低くて環境にも優しく、実用上きわめて有効なオフセット印刷機の湿し水供給方法及び装置を提供することを課題とするものである。
【００２７】
【課題を解決するための手段】
上記課題を解決するため、手段（１）としてのオフセット印刷機の湿し水供給方法は、印刷機の湿し装置に供給される湿し水を活性単分子水化し、所定の活性単分子水濃度に制御して調整した後、印刷機の湿し装置に供給するようにした。
【００２８】
このように、湿し水を活性単分子水化すると、水分子運動が活発になり、表面張力が下がるため、非画線部の微視的な凹凸の小さな凹み部分にも水が入り込むことができ、非画線部の汚れが起きにくく、非画線部と画線部の境界が明確となり、供給する湿し水の供給量も少くてよいので、印刷品質を向上させることができる。また、湿し水にアルコールやエッチ液等の各種添付物を付加する必要がないため、ランニングコストを下げることができ、廃液の汚れレベルが低く、環境にも優しい方法となる。
【００２９】
また、手段（２）としてのオフセット印刷機の湿し水供給装置は、印刷機の湿し装置に湿し水を供給する湿し水供給装置が、補給水を活性単分子水化する活性単分子水発生装置と、上記湿し水供給装置より供給される湿し水の活性単分子水濃度検出手段と、上記活性単分子水発生装置で発生させた活性単分子の上記湿し水供給装置への供給を制御すると共に、上記湿し水供給装置及び活性単分子水発生装置の運転を制御する湿し水制御装置とを有するように構成した。
【００３０】
これにより、手段（１）の方法を実施し得る、実用上極めて有効な装置を提供することができる。
【００３１】
また、手段（３）としてのオフセット印刷機の湿し水供給装置は、手段（２）の装置において、湿し水が、湿し水タンクと湿し装置の水舟と中継タンクよりなる循環系により循環されるように構成した。
【００３２】
これにより、手段（２）の装置における湿し水の再利用を図り、ランニングコストをさらに下げることができる。
【００３３】
また、手段（４）としてのオフセット印刷機の湿し水供給装置は、手段（２）の装置において、湿し水が湿し装置のノズルより噴霧され、循環系を有しないように構成した。
【００３４】
これにより、手段（２）の装置における湿し水供給装置の構成が簡素となり、安価な装置を提供することができる。
【００３５】
【発明の実施の形態】
図１は本発明の実施の第１の形態に係るオフセット印刷機の湿し水供給方法及び装置の構成を示す説明図である。
【００３６】
図において、２４は活性単分子水発生装置で、外部から供給された補給水２９を活性単分子水（活性化鉱水ともいう）化する装置である。２８は湿し水供給装置で、活性単分子水発生装置２４で活性単分子水化された水は、湿し水を循環する湿し水タンク１９に溜め、供給ポンプ２６で印刷機の湿し装置１０の水舟１３に供給し、水舟１３より版胴５に装着している刷版１１に必要量の湿し水を供給すると共に、水舟１３の規定水位から溢れた湿し水を中継タンク２７に戻した後、湿し水を循環する湿し水タンク１９に送り返し、湿し水タンク１９から再び供給ポンプ２６で送り出し、湿し水を循環させて再利用するように構成されている。
【００３７】
３０は湿し水制御装置で、活性単分子水濃度の目標値を入力することができ、活性単分子水濃度検出手段２５で湿し水タンク１９内の湿し水の活性単分子水濃度を計測し、該データにより供給制御手段３１を制御して、活性単分子水発生装置２４から供給される活性単分子水を湿し水タンク１９に供給し、湿し水タンク１９内の活性単分子水濃度を制御、調整すると共に、活性単分子水発生装置２４や湿し水タンク１９、中継タンク２７等からなる湿し水供給装置２８の関係機器の運転を制御するようにしている。
【００３８】
図３は一般水の水分子の状態を示す説明図で、図４は活性単分子水の水分子の状態を示す説明図である。
【００３９】
一般水は図３に示すように水分子３２が集合体（クラスタ：普通の水道水では１３〜２３個の水分子が結合しているとされている）で存在するため、水本来の分子運動が充分にできない状態となっている。
【００４０】
これに対し活性単分子水の水分子は、図４に示すように水分子３２が単分子化されているため、水の分子運動が活発になり、表面張力が下がるため微視的な凹凸の小さな凹み部分にも水が入り込むことができ、洗浄力もアップする。
【００４１】
なお、活性単分子水化した水の活性単分子水濃度は、活性単分子水濃度検出手段２５により、例えば、水が単分子水化すると油と混ざることができて白濁するので、白濁状態の程度をセンサで計ることにより、活性単分子水濃度を検出することができる。
【００４２】
本発明の実施の第１形態は、図１に示すような方法及び装置の構成になっているので、湿し水タンク１９より一定の活性単分子水濃度の湿し水を供給ポンプ２６により印刷機の湿し装置１０の水舟１３に供給し、湿し装置１０によって版胴５に装着されている刷版１１に供給することができるので、刷版１１の非画線部には活性単分子水が供給されて水分子の小さい湿し水で覆われるようになる。
【００４３】
従って、非画線部の微視的な凹凸の小さな凹み部分にも湿し水が入り込むことができるため、非画線部はインキで汚れにくくなり、非画線部への湿し水の付着力が大きくなるので、非画線部と画線部の境界を明確にすることができる。
【００４４】
また、非画線部への湿し水の付着力が大きくなると、湿し水の供給量を少なくすることができるため、湿し水の多過による障害が起こる度合いが小さくなり、印刷の品質も向上することになる。
【００４５】
また、湿し水には従来のようにアルコールやエッチ液のような添加物を付加することなく、活性単分子水濃度を所定の濃度になるように制御して調節するようにしているので、廃液に添加物等が混入することはない。
【００４６】
また、非画線部の微視的な凹凸の小さな凹み部分にも湿し水が入り込むことができるので、非画線部が汚れていた場合でも容易に洗浄することができることになる。
【００４７】
次に、図２は本発明の実施の第２の形態に係るオフセット印刷機の湿し水供給方法及び装置の構成を示す説明図で、図中図１に示す部位と同一部位には同一の符号を付し、各部位についての重複した説明は省略する。
【００４８】
図１に示す実施の形態においては、印刷機の湿し装置１０が水舟１３を有し、水舟１３の湿し水を一定レベルに制御するようにしているが、図２に示す実施の形態においては、水舟１３の代りに湿し装置１０にノズル１６を設け、ノズル１６より湿し水を噴霧して版胴５に装着されている刷版１１に湿し水を供給するようにしている。
【００４９】
図２に示す実施の形態においても図１に示す実施の形態と同様の作用効果を奏するが、図２に示す実施の形態においては中継タンク２７はなく、湿し水の循環系を有してはいないので、湿し水供給装置２８の構成はより簡素となり、安価な装置を提供することができる。
【００５０】
但し、本発明は図１，図２に示す実施の形態に限定されるものではなく、活性単分子水発生装置や、湿し水の供給制御手段、活性単分子水濃度検出手段、及び湿し水制御装置等は、本発明の趣旨に沿って適宜設計変更し得ることは言うまでもない。
【００５１】
【発明の効果】
請求項１に係るオフセット印刷機の湿し水供給方法は、印刷機の湿し装置に供給される湿し水を活性単分子水化し、所定の活性単分子水濃度に制御して調整した後、印刷機の湿し装置に供給するようにし、請求項２に係るオフセット印刷機の湿し水供給装置はその方法を実施するために、印刷機の湿し装置に湿し水を供給する湿し水供給装置が、補給水を活性単分子水化する活性単分子水発生装置と、上記湿し水供給装置より供給される湿し水の活性単分子水濃度検出手段と、上記活性単分子水発生装置で発生させた活性単分子水の上記湿し水供給装置への供給を制御すると共に、上記湿し水供給装置及び活性単分子水発生装置の運転を制御する湿し水制御装置とを有するように構成したので、
（１）非画線部の汚れが起きにくく、汚れても早期に洗浄できるので印刷品質が向上する。
（２）非画線部の境界が強固になるので画線の境界部を明確にすることができ、印刷品質が向上する。
（３）供給する湿し水の供給量を少なくできるので、湿し水の多過による障害を少なくでき印刷品質が向上する。
（４）湿し水にアルコールやエッチ液等の添加物を付加しないので、ランニングコストが下がる。
（５）湿し水に添加物を付加しないので、廃液の汚れレベルが低くなり、環境にも優しくなる。
等のすぐれた効果を有する。
【００５２】
また、請求項３に係るオフセット印刷機の湿し水供給装置は、請求項１に係る装置において、湿し水が、湿し水タンクと湿し装置の水舟と中継タンクよりなる循環系により循環されるように構成したので、上記（１）〜（５）の効果に加えて、その装置における湿し水の再利用を図り、ランニングコストをさらに下げることができる。
【００５３】
また、請求項４に係るオフセット印刷機の湿し水供給装置は、請求項１に係る装置において、湿し水が湿し装置のノズルより噴霧され、循環系を有しないように構成したので、上記（１）〜（５）の効果に加えて、その装置における湿し水供給装置の構成が簡素となり、安価な装置を提供することができる。
【図面の簡単な説明】
【図１】本発明の実施の第１の形態に係るオフセット印刷機の湿し水供給方法及び装置の構成を示す説明図である。
【図２】本発明の実施の第２の形態に係るオフセット印刷機の湿し水供給方法及び装置の構成を示す説明図である。
【図３】一般水の水分子の状態を示す説明図である。
【図４】活性単分子水の水分子の状態を示す説明図である。
【図５】従来の一般的な枚葉印刷機の概略構成を示す説明図である。
【図６】図５に示す枚葉印刷機の印刷装置の概略構成を示す説明図である。
【図７】従来のオフセット印刷機の湿し水供給装置の概略構成を示す説明図である。
【図８】従来のオフセット印刷機の湿し水供給装置の他の概略構成を示す説明図である。
【符号の説明】
１      給紙装置
２      印刷装置（２ａ，２ｂ，２ｃ，２ｎ）
３      排紙装置
４      インキ装置
５      版胴
６      ゴム胴
７      圧胴
８      中間胴
９      排紙軸
１０    湿し装置
１１    刷版
１２    シート
１３    水舟
１４    アルコール供給ポンプ
１５    エッチ液供給ポンプ
１６    ノズル
１７    アルコール濃度計
１８    エッチ液濃度計
１９    湿し水タンク
２０    電解槽
２１    ＰＨセンサ
２２    酸性イオン水
２３    アルカリ性イオン水
２４    活性単分子水発生装置
２５    活性単分子水濃度検出手段
２６    供給ポンプ
２７    中継タンク
２８    湿し水供給装置
２９    補給水
３０    湿し水制御装置
３１    供給制御手段
３２    水分子
【図１】
2004351745.tif 000003
【図２】
2004351745.tif 000004
【図３】
2004351745.tif 000005
【図４】
2004351745.tif 000006
【図５】
2004351745.tif 000007
【図６】
2004351745.tif 000008
【図７】
2004351745.tif 000009
【図８】
2004351745.tif 000010